(57)【要約】【目的】  本発明は、濾過本体を水槽内に設置し、エアポンプから吐出する加圧エアにより水槽内の水を吸い上げ、濾過本体内の濾材を通過させて循環させることにより、浄化するようにした、内部式濾過装置において、エアストンが常に適正位置に保持されるようにして、エアポンプによる水の吸上能率を高めるようにした。【構成】  濾過本体Ｆに、エアストン９に接続されるエアパイプ８を、その濾過本体Ｆ内の吸水通路１０の所定位置に移動しないように係止する係止手段Ｅを設けた。【選択図】      図３
2011167167.tif 000002
【特許請求の範囲】
【請求項１】
水槽（１）内に設置される濾過本体（Ｆ）の吸水通路（１０）内に、先端にエアストン（９）が接続されるエアパイプ（８）を挿入し、このエアパイプ（８）の外端に水槽（１）の外に設けられるエアポンプ（Ｐｕ）を接続し、該エアポンプ（Ｐｕ）よりエアストン（９）を通して前記吸水通路（１０）内に噴出する加圧エアにより、水槽（１）内の水を、前記濾過本体（Ｆ）内の濾材（６）および吸込口（２０）を通して吸水通路（１０）内に吸い上げて水槽（１）内に還流させるようにした内部式濾過装置において、
前記濾過本体（Ｆ）には、エアストン（９）に接続されるエアパイプ（８）が、吸水通路（１０）内の所定位置に移動しないように係止される係止手段（Ｅ）が設けられることを特徴とする、内部式濾過装置。
【請求項２】
前記係止手段（Ｅ）は、前記濾過本体（Ｆ）の上部に形成される差込孔（７Ｈ）に着脱可能に設けられるパイプ係止具（３０）よりなり、このパイプ係止具（３０）は、内面にパイプ挿通孔（３１）を有して円筒状に形成され、その周壁にすり割り（３３）を挟んで複数の弾性挟持片（３４）が一体に設けられ、これらの挟持片（３４）の内面に、エアパイプ（８）の外面に食い込む尖鋭突起（３５）が突設されていることを特徴とする、前記請求項１記載の内部式濾過装置。
【発明の詳細な説明】
【技術分野】
【０００１】
本発明は、金魚、熱帯魚、海水魚等の観賞魚の飼育用水槽内の水を、エアポンプからの加圧エアにより吸い上げて循環濾過するようにした、内部式濾過装置に関する。
【背景技術】
【０００２】
一般に、水槽内で金魚、熱帯魚等の観賞魚を飼育、育成するために、水槽内の水を濾過して浄化する濾過装置として、その濾過本体を水槽内に設置し、エアポンプから吐出する加圧エアにより水槽内の水を、吸い上げて濾過本体内の濾材を通過させて循環させることにより浄化するようにした、内部式濾過装置は公知である（たとえば、特許第３９５４９２０号公報参照）。
【先行技術文献】
【特許文献】
【０００３】
【特許文献１】特許第３９５４９２０号公報
【発明の概要】
【発明が解決しようとする課題】
【０００４】
ところで、このような内部式濾過装置は、水槽の外に設けたエアポンプにエアパイプを介して接続されるエアストンを、水槽内に浸漬される内部式濾過本体内に挿入し、エアポンプの駆動によりエアストンを通して濾過本体内に噴出される加圧エアにより、水槽内の未浄化の水を濾材を通過して吸い上げて循環することにより浄化するように構成されている。
【０００５】
ところで、かかる濾過装置の濾過能率を高めるには、水槽内の水面からエアストンまでの水の吸水通路を長く確保し、かつエアストンから噴出されるエアにより水槽内の水のみを常に能率よく吸い上げる（エアを吸い込まない）ようにすることが要求されるが、前記特許文献１のものでは、濾過本体内に挿入されるエアストンを濾過本体内の適正位置に常に係止するための対策がなされていないため、濾過本体内に挿入されるエアストンの位置を常に適正位置に維持させるのが難しく、前記要求を充足できないという問題があった。
【０００６】
本発明はかかる実情に鑑みてなされたもので、内部式濾過本体内に挿入されるエアストンが常に適正位置の保持されるようにして、エアポンプによる水の吸上能率を高めるようにした、新規な内部式濾過装置を提供することを目的とする。
【課題を解決するための手段】
【０００７】
前記目的達成のため、請求項１記載の発明は、水槽内に設置される濾過本体の吸水通路内に、先端にエアストンが接続されるエアパイプを挿入し、このエアパイプの外端に水槽の外に設けられるエアポンプを接続し、該エアポンプよりエアストンを通して前記吸水通路内に噴出する加圧エアにより、水槽内の水を、前記濾過本体内の濾材および吸込口を通して吸水通路内に吸い上げて水槽内に還流させるようにした内部式濾過装置において、
前記濾過本体には、エアストンに接続されるエアパイプが、吸水通路内の所定位置に移動しないように係止される係止手段が設けられることを特徴としている。
【０００８】
前記目的達成のため、請求項２記載の発明は、前記請求項１記載の発明において、前記係止手段は、前記濾過本体の上部に形成される差込孔に着脱可能に設けられるパイプ係止具よりなり、このパイプ係止具は、内面にパイプ挿通孔を有して円筒状に形成され、その周壁にすり割りを挟んで複数の弾性挟持片が一体に設けられ、これらの挟持片の内面に、エアパイプの外面に食い込む尖鋭突起が突設されていることを特徴としている。
【発明の効果】
【０００９】
請求項各項記載の発明によれば、濾過本体の吸水通路内に挿入されるエアストンを、吸水通路に対して常に適正位置に確実に保持して、外乱などによりエアストンの位置がずれることがないので、エアポンプによる水槽内の水の吸上能率を高めることができ、内部式濾過装置の濾過効率を向上することができる。
【００１０】
また、請求項２記載の発明によれば、濾過本体の上部にエアパイプのパイプ係止具を設けるだけで、他に濾過装置の構造を何ら変更しないで済み、廉価に提供することができる。
【図面の簡単な説明】
【００１１】
【図１】内部式濾過装置を水槽に設置した場合の斜視図
【図２】図１の２矢視の、内部式濾過装置の一部破断正面図
【図３】図２の３−３線に沿う断面図
【図４】図３の４矢視図
【図５】図３の５矢視部の拡大図
【図６】図３の６矢視部の拡大図
【図７】エアパイプ保持具の斜視図
【発明を実施するための形態】
【００１２】
以下、本発明の実施の形態を添付図面に示した本発明の実施例に基づいて説明する。
【００１３】
図１〜４に示すように、内部式濾過装置の濾過本体Ｆは、直方体に形成される水槽１の相互に直交する２つの壁面１ａ，１ｂによって構成される隅角部２に、複数の吸盤３により着脱可能に取付けられる。この濾過本体Ｆ内には、エアポンプＰｕの作動により水槽１内の水が吸い込まれ、その内部で濾過された後、浄化された水は水槽１内へと還流される。
【００１４】
濾過本体Ｆは、２つ割りの三角筒状の濾過ケース５と、その濾過ケース５に着脱可能に装着される、三角筒状に巻かれた濾材６と、この濾材６内に設けた円筒状の吸水通路１０と、この吸水通路１０の上端に鉛直軸回りに首振り可能に接続される排水管７と、この排水管７を貫通して吸水通路１０内に挿入される可撓性の弾性ホースよりなるエアパイプ８とを備えており、このエアパイプ８の上端に水槽１の外に設けられるエアポンプＰｕが接続され、また、その下端には、吸水通路１０内に設けられるエアストン９が接続される。
【００１５】
図２，３，５，６に示すように濾過ケース５と、濾過エレメントユニット６との間には、密閉状の未浄化室Ｃｄが形成され、濾材６の内側の吸水通路１０内には密閉状の浄化室Ｃｃが形成されている。吸水通路１０の下端周面および下面には、吸水口２０が開口され、その吸水口２０は、未浄化室Ｃｄを濾材６を通して吸水通路１０内の浄化室Ｃｃに連通する。濾過ケース５の下部前面には、未浄化室Ｃｄに連通する第１の水取入口１２が開口され、さらに、それよりも下方に第２の水取入口１３が開口されている。濾過ケース５の下端には、粗な濾材１５を収容した補助濾過室１４が形成され、この補助濾過室１４は、前記第２の水取入口１３に連通されると共に吸水口２０を介して吸水通路１０内に連通する。
【００１６】
ここで、エアポンプＰｕを運転すると、加圧エアは、エアパイプ８を通りエアストン９より吸水通路１９内に噴出し、吸水通路１０内に吸水力が発生する。これにより、水槽１内の未浄化水は、
(1) 図３，６矢印ａに示すように、第１の水取入口１２より未浄化室Ｃｄ内に吸入され、そこから濾材６を通って濾過された後、吸水口２０を通って吸水通路１０内に吸い上げられる第１の流れと、
(2) 図３，６矢印ｂに示すように、補助取水口１３より補助濾過室１４に入り、粗な濾材により濾過された後、吸水通路１０内に吸い上げられる第２の流れ、
とに分流される。そして、前記第１の流れと第２の流れは、吸水通路１０内で合流して、図３矢印ｃに示すように、該吸水通路１０内を上昇し、排水管７の排水口４０より、水槽１内に還流する。したがって、吸水通路１０内には、濾材６を通過して濾過された第１の流れの水と、粗な濾材１５を通過して濾過された第２の流れの水とが合流して吸水通路１０内を上昇し、排出管７を通って水槽１内に還流する。
【００１７】
しかして、濾過本体Ｆ内を流れる水を、濾材６を通る第１の流れと、粗な濾材１５を流れる第２の流れとの分流することにより、濾材６を流れる第１の流れの流速が減じられて濾材６に付着する好気性微生物の繁殖を促し、水の有機的浄化作用が促進される。
【００１８】
水槽１内の底部には、大磯などの砂利１８が敷設される。
【００１９】
ところで、エアポンプＰｕの加圧エアにより発生する吸水力より、水槽１内の水を効率よく吸い上げるには、加圧エアの噴出されるエアストン９を、吸水通路１０の適正位置（図３，６実線位置）に常に的確に保持する必要があり、若し仮に図６に２点鎖線Ｌ１に示すように、吸水通路１０内に挿入されるエアストン９の一部が、吸水通路１０下端の吸水口２０を横切る位置まで達してしまうと、吸込通路１０内に吸い込まれる水の中に、エアストン９から噴出されるエアの一部が混入してしまい、水の吸込能率が低下する不都合があり、また、図６に１点鎖線Ｌ２に示すように、エアストン９を吸込口２０から遠く避けるべく該吸込口２０よりも上方に離れた位置に保持させると、水面からエアストン９に至る水の吸い上げ距離が短くなり、この場合にも水の吸込能率が低下する不都合がある。
【００２０】
そこで、この実施例では、前記不都合を解消すべく、図３，６実線に示すように、吸込通路１０に対するエアストン９の上下方向の相対位置を常に適正位置、すなわち吸込口の直上位置に確実に保持できるようにしたものである。
【００２１】
図３，５に示すように、排出管７の、エアパイプ８の差込孔７Ｈには、係止手段Ｅとしての硬質の合成樹脂材よりなる、パイプ係止具３０が着脱自在に嵌着されている。図７に最も明瞭に示すように、このパイプ係止具３０は、内面に前記差込孔７Ｈに挿入されるパイプ挿入孔３１を有して短円筒状に形成されていて、その外周に外向きフランジ部３２が形成されており、この外向きフランジ部３２より下方の周壁には縦方向の複数のすり割り（４つ）３３が入れられており、それらのすり割り３３間に複数（４つ）の弾性挟持片３４がそれぞれ形成され、これらの弾性挟持片３４の内面に尖鋭突起３５が内方に向けて一体に突設されている。そして、このパイプ係止具３０は、その外周面が排出管７の差込孔７Ｈに嵌着され、その外向きフランジ部３２が排出管の上面に着座される。
【００２２】
図３，５に示すように、濾過本体Ｆ内の吸込通路１０内に弾性のエアパイプ８を挿着すべく、このエアパイプ８をパイプ係止具３０に挿入したとき、複数の弾性挟持片３４の尖鋭突起３５は、弾性のエアパイプ８の外周面に食い込んで、このエアパイプ８、したがってエアストン９を濾過本体Ｆに対して適正位置に保持することができ、エアパイプ８や、エアポンプＰｕに外力が作用しても妄りにエアストン９の位置がずれることがない。
【００２３】
以上、本発明の実施例について説明したが、本発明はその実施例に限定されることなく、本発明の範囲内で種々の実施例が可能である。
【００２４】
たとえば、前記実施例では、パイプ係止具３０は、排出管７に設けているが、これを吸水通路１０に設けてもよい。また、前記実施例では、濾材６および粗な濾材１５を流れる第１および第２の二つの水流が生成される内部式濾過装置の場合について説明したが、一つの濾材を流れる一つの水流が生成される内部式濾過装置にも実施することができる。
【符号の説明】
【００２５】
１・・・・・・・・水槽
６・・・・・・・・濾材
７Ｈ・・・・・・・差込孔
８・・・・・・・・エアパイプ
９・・・・・・・・エアストン
１０・・・・・・・吸水通路
３０・・・・・・・パイプ係止具
３１・・・・・・・パイプ挿入孔
３３・・・・・・・すり割り
３４・・・・・・・弾性挟持片
３５・・・・・・・尖鋭突起
Ｅ・・・・・・・・係止手段
Ｆ・・・・・・・・濾過本体
Ｐｕ・・・・・・・エアポンプ
【図１】
2011167167.tif 000003
【図２】
2011167167.tif 000004
【図３】
2011167167.tif 000005
【図４】
2011167167.tif 000006
【図５】
2011167167.tif 000007
【図６】
2011167167.tif 000008
【図７】
2011167167.tif 000009